(57)【特許請求の範囲】
【請求項１】
ドラム胴本体にドラムヘッドを取り付けるためのラグ構造において、
前記ドラム胴本体に取り付けられたラグベースと、このラグベースに保持可能に設けられるとともに、締めボルトの一端側を支持するラグと、前記ラグベースとラグとの間に設けられたラグ移動抑制手段とを備え、
前記ラグベースに第１の嵌合部を設ける一方、前記ラグに前記第１の嵌合部に嵌合可能な第２の嵌合部を設け、
前記ラグ移動抑制手段は、前記ラグに設けられた軸状部と、前記ラグベースに設けられた二つの平面部とを備え、各平面部は、軸状部の軸線と略平行に延びて当該軸状部に当接可能に設けられ、前記軸状部と各平面部とが離れたときに、前記第１及び第２の嵌合部が相互に嵌合可能に設けられていることを特徴とするドラムのラグ構造。
【請求項２】
前記軸状部は、円筒状に形成されている一方、前記各平面部は、軸状部に線接触可能に設けられていることを特徴とする請求項１記載のドラムのラグ構造。
【請求項３】
前記第１及び第２の嵌合部は、テーパ面部をそれぞれ備え、これらテーパ面部が相互に面接触可能に設けられていることを特徴とする請求項１又は２記載のドラムのラグ構造。
【請求項４】
前記ラグは、同一形状で、材質が亜鉛、アルミニウム及びマグネシウムとなるものがそれぞれ用意され、これらラグの何れか一つが選択して取り付けられていることを特徴とする請求項１ないし３の何れかに記載のドラムのラグ構造。
【発明の詳細な説明】
【技術分野】
【０００１】
本発明は、ドラムのラグ構造に係り、更に詳しくは、ドラムヘッドに所定の張力を付与することができるドラムのラグ構造に関する。
【背景技術】
【０００２】
従来より、種々のドラムにおいて、リム等を介してドラム胴本体にドラムヘッドを張設するため、例えば、図７及び図８に示されるようなラグを用いたものが知られている（特許文献１参照）。
【０００３】
図７において、ラグ５０は、上部で締めボルト５１を保持するとともに、ピン状のラグベース５２を介してドラム胴本体５３に取り付けられている。ラグベース５２には、前記ピンの周方向に延びるＶ字状の係合溝５２Ａが形成されている一方、ラグ５０には、山形の突起５０Ａが設けられ、これら係合溝５２Ａ及び突起５０Ａが係合することでラグベース５２にラグ５０が取り付けられる。
【０００４】
図８において、ラグ６０は、図示しないドラム胴本体に固定されている。このラグ６０は、締めボルト６１に螺合する円筒状のラグナット６２を受容する受容溝６３を備えた形状に設けられている。
【０００５】
【特許文献１】特許第３７０７４８５号公報
【発明の開示】
【発明が解決しようとする課題】
【０００６】
しかしながら、図７の構造では、係合溝５２Ａ及び突起５０Ａが係合しても、ラグ５０がラグベース５２の周方向（同図中矢印Ｒ方向）に回転移動することを規制し難くなる。このため、ラグベース５２にラグ５０を取り付けた後、前記矢印Ｒ方向にラグ５０が傾いた状態になり易くなる、という不都合を招来する。
また、図８の構造では、受容溝６３が半円柱に沿う内面形状となるので、図８（Ｂ）に示されるように、円筒状のラグナット６２と受容溝６３との接触部分が側面視で一点Ｐとなり、同図中左右方向にラグナット６２がずれ易くなる、という不都合がある。
【０００７】
更に、締めボルト５１，６１の締め付けを解除した際、図７の構造では、係合溝５２Ａ及び突起５０Ａの係合が解除され、図８の構造では、受容溝６３からラグナット６３が下方に抜け出てフリーな状態となる。この結果、前記リムを取り付ける準備状態等において、図７のラグ５０や図８のラグナット６３が動き易くなるために手で持つことが必要になる等、作業性が低下するという不都合もある。
【０００８】
ところで、ドラムにあっては、ラグ及びラグベースの総重量を変えることで、ドラムの音色を変化できることが知られており、当該音色を容易に調整できるようにする要望がある。
【０００９】
［発明の目的］
本発明は、このような不都合に着目して案出されたものであり、その目的は、ラグベースに取り付けられるラグの位置精度を安定して高めることができるドラムのラグ構造を提供することにある。
また、本発明の他の目的は、ラグの取り付けや取り外しの作業性を向上することができるドラムのラグ構造を提供することにある。
更に、本発明の更に他の目的は、ドラムの音色調整を容易に行うことができるドラムのラグ構造を提供することにある。
【課題を解決するための手段】
【００１０】
前記目的を達成するため、本発明は、ドラム胴本体にドラムヘッドを取り付けるためのラグ構造において、
前記ドラム胴本体に取り付けられたラグベースと、このラグベースに保持可能に設けられるとともに、締めボルトの一端側を支持するラグと、前記ラグベースとラグとの間に設けられたラグ移動抑制手段とを備え、
前記ラグベースに第１の嵌合部を設ける一方、前記ラグに前記第１の嵌合部に嵌合可能な第２の嵌合部を設け、
前記ラグ移動抑制手段は、前記ラグに設けられた軸状部と、前記ラグベースに設けられた二つの平面部とを備え、各平面部は、軸状部の軸線と略平行に延びて当該軸状部に当接可能に設けられ、前記軸状部と各平面部とが離れたときに、前記第１及び第２の嵌合部が相互に嵌合可能に設けられる、という構成を採っている。
【００１１】
本発明において、前記軸状部は、円筒状に形成されている一方、前記各平面部は、軸状部に線接触可能に設けられる、という構成を採ることが好ましい。
【００１２】
また、第１及び第２の嵌合部は、テーパ面部をそれぞれ備え、これらテーパ面部が
相互に面接触可能に設けられるとよい。
【００１３】
更に、前記ラグは、同一形状で、材質が亜鉛、アルミニウム及びマグネシウムとなるものがそれぞれ用意され、これらラグの何れか一つが選択して取り付けられる、という構成も好ましくは採用される。
【発明の効果】
【００１４】
本発明によれば、ラグベースに二つの平面部を設けたので、ラグの軸状部におけるラグベースの接触部分を側面視で二箇所とすることができる。これにより、ラグの取り付け後に、当該ラグが回転するように傾いたり、横方向にずれたりすることを防止でき、ラグの位置を安定して精度良く保つことが可能となる。
【００１５】
また、軸状部を円筒状に形成し、各平面部が軸状部の二箇所位置に線接触可能となるので、ラグの位置精度をより良く高めることができる。
【００１６】
更に、軸状部と各平面部とが離れたときに、第１及び第２の嵌合部が相互に嵌合するので、締めボルトの締め付けを行う前後において、ラグベースを介してラグを一時的に保持することが可能となる。これにより、従来のようにラグの取り付けや交換作業時に、ラグを手で持ったり押さえたりする手間を省略でき、作業性を改善することができる。
【００１７】
また、第１及び第２の嵌合部は、テーパ面部をそれぞれ備えているので、嵌合する直前で各テーパ面部をガイドして嵌合を行うことができ、ラグの取り付け作業の容易化を図ることができる。また、テーパ面部を面接触させて嵌合するので、簡単な構造によりラグの直交二方向への移動規制を簡易に行うことが可能となる。
【００１８】
更に、ラグを構成する亜鉛、アルミニウム及びマグネシウムは比重が異なるので、同一形状で重量の異なる複数のラグを用意することができる。これにより、ラグ及びラグベースの総重量を簡単に調整でき、ひいては、ドラムの音色の調整を容易に行うことが可能となる。
【発明を実施するための最良の形態】
【００１９】
以下、本発明の好ましい実施の形態について図面を参照しながら説明する。
【００２０】
図１には、実施形態に係るラグ構造が適用されたドラムの一部構造を断面視した側面図が示されている。この図において、バスドラム、スネアドラム、マーチングドラム等のドラム１０は、ドラム胴本体１１の同図中上部にリム等（図示省略）を介して張設されるドラムヘッド（図示省略）を備えている。ドラム胴本体１１には、ラグベース１２が取り付けられ、このラグベース１２にラグ１３が保持されている。ラグ１３は、その上部で前記リムに連結される締めボルト１４の同図中下端側を保持している。
【００２１】
前記ラグベース１２は、図１及び図２に示されるように、ドラム胴本体１１の外周面に沿う取付部１５と、この取付部１５の上下方向中央部から突出する突出部１６とを備えている。
【００２２】
前記取付部１５の図１中上部裏面側には、ドラム胴本体１１の凹部１１Ａに挿入されるピン１８が突設している。また、取付部１５の同図中下部裏面側には、円筒状のめねじ形成部１９が突設している。めねじ形成部１９は、ドラム胴本体１１の穴１１Ｂに挿入されるとともに、ドラム胴本体１１の内側からボルト２０をねじ込み可能に設けられ、当該ボルト２０のねじ込みによりラグベース１２をドラム胴本体１１に固定できるようになっている。
【００２３】
前記突出部１６は、図２（Ａ）中左右両側に形成された第１の嵌合部としての一対のテーパ面部２２，２２と、同図中下方に形成されて上方に凹む形状を有する受容部２３とを備えている。各テーパ面部２２，２２は、上方に向かって相互に次第に接近する方向に傾斜する面形状に設けられている。
【００２４】
前記受容部２３は、図３にも示されるように、側面視反転末広がり状をなす二つの平面部２５，２５と、これら平面部２５，２５の上端側を連結する連結面部２６とを備えている。各平面部２５，２５及び連結面部２６は、図３中紙面直交方向に延びるように形成されている。
【００２５】
前記ラグ１３は、図１及び図４に示されるように、前記受容部２３内に部分的に受容される軸状部２８と、この軸状部２８の延出方向両側に連設された一対の側壁２９，２９と、これら側壁２９，２９の上端側に連設されて前記締めボルト１４を貫通する頂壁３０と、側壁２９，２９及び頂壁３０の図１中右端側に連なる表面壁３１とを備え、同図中左側を開放する形状に設けられている。軸状部２８と表面壁３１との間には、図１中左右に開通する開口３２が形成されている。
【００２６】
前記軸状部２８は、円筒状に形成されているとともに、その軸線方向が締めボルト１４と略直交する方向すなわち図１中紙面直交方向に向けられ、平面部２５の面と略平行となっている。軸状部２８の径寸法と前記受容部２３の形状及びサイズとの相関関係は、軸状部２８が二つの平面部２５，２５に同時に線接触し、且つ、連結面部２６に非接触となるように設定されている。ここにおいて、前記軸状部２８と、二つの平面部２５，２５とによりラグ移動抑制手段が構成される。
【００２７】
前記各側壁２９，２９の上部相対面側には、図４（Ｄ）中左右に延びる溝２９Ａ，２９Ａがそれぞれ設けられ、これら溝２９Ａ，２９Ａ内に前記締めボルト１４を保持する支持台３４が嵌合可能となっている。また、各側壁２９，２９の相対面側における前記開口３２の上方には、第２の嵌合部としてのテーパ面部３５，３５がそれぞれ形成されている。各テーパ面部３５，３５は、前述したラグベース１２のテーパ面部２２，２２と同様に、上方に向かって相互に次第に接近する方向に傾斜する面形状に設けられ、当該テーパ面部２２，２２と相互に面接触して嵌合可能となっている。
【００２８】
このような構成において、図示省略したドラムヘッドを張設すべく締めボルト１４の締め付けを行うと、ラグ１３に上昇する方向の力が作用する。このとき、図１及び図３に示されるように、ラグ１３の軸状部２８がラグベース１２の受容部２３内で嵌合し、ラグベース１２にラグ１３が保持される。具体的には、軸状部２８が受容部２３内に食い込むようになり、軸状部２８における受容部２３の接触領域を側面視で二点とするように、軸状部２８が二つの平面部２５，２５に線接触する。これにより、ラグ１３が同図中左右方向にずれたり、軸状部２８の端部が上下する方向に傾いたりすることを規制可能となる。
【００２９】
ここで、締めボルト１４の締め付けを緩めた場合、ラグ１３が図１の状態から図６に示されるように下方に移動し、軸状部２８が各平面部２５，２５から離れる。このとき、図５（Ａ）及び（Ｂ）に示されるように、ラグ１３のテーパ面部３５，３５と、ラグベース１２のテーパ面部２２，２２とにより、ラグ１３が図中下方向に移動するようにガイドされる。そして、ラグ１３のテーパ面部３５，３５が、ラグベース１２のテーパ面部２２，２２を挟み込むようにして面接触すると、ラグ１３の下方向及び左右方向への移動が規制され、ラグベース１２によりラグ１３が保持される。
【００３０】
次に、ラグ１３によるドラム１０の音色の調整方法を説明する。
【００３１】
前記ラグ１３を複数用意し、各ラグ１３を同一形状としつつ材質を変えることで各ラグ１３の重量を変化させる。具体的には、亜鉛からなるラグ１３、アルミニウムからなるラグ１３、マグネシウムからなるラグ１３を用意し、亜鉛、アルミニウム及びマグネシウムの比重の違いにより重量を変化させる。これにより、マグネシウムのラグ１３の重量に対し、アルミニウムのラグ１３が約１．５倍、亜鉛からなるラグ１３が約３．６倍の重量となる。これらのラグ１３の何れか一つを選択して取り付けることでラグ１３とラグベース１２との総重量を約３０〜５０ｇの範囲で調整可能となり、当該総重量の変化に対応してドラム１０の音色を変化させることができる。
【００３２】
従って、このような実施形態によれば、軸状部２８が二つの平面部２５，２５に当接するので、ラグベース１２にラグ１３を保持させた後における当該ラグ１３の位置を安定して保つことができる。また、締めボルト１４の締め付けを解除した状態でも、軸状部２８及び平面部２５と異なる部分となる各テーパ面部２２，３５を介してラグ１３を保持することができ、ラグ１３の取り付け及び取り外し作業の容易化を図ることが可能となる。
【００３３】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態、実施例に対し、形状、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３４】
例えば、前記軸状部２８の形状は、二つの平面部２５，２５に当接可能とする限りにおいて、楕円柱状、角柱状にする等変更してもよいが、円筒状とした方がラグ１３の位置を安定して保ち易くなる点で有利となる。
【００３５】
また、前述の第１及び第２の嵌合部は、前記テーパ面部２２，３５と同様の作用、機能を発揮する限りにおいて、種々の変更が可能であり、例えば、各テーパ面部２２，３５をコーンに沿う形状として嵌合可能に設けてもよい。
【図面の簡単な説明】
【００３６】
【図１】実施形態に係るラグ構造が適用されたドラムの一部構造を断面視した側面図。
【図２】（Ａ）は、ラグベースの正面図、（Ｂ）は、同右側面図。
【図３】図１の要部拡大図。
【図４】（Ａ）は、ラグの正面図、（Ｂ）は、同右側面図、（Ｃ）は、同背面図、（Ｄ）は、（Ａ）のＡ−Ａ線に沿う断面図。
【図５】（Ａ）は、図１のＢ−Ｂ線に沿う断面図、（Ｂ）は、図６のＣ−Ｃ線に沿う断面図。
【図６】締めボルトを緩めた状態とした図１と同様の側面図。
【図７】従来例に係るラグ構造の図１と同様の側面図。
【図８】他の従来例に係るラグ構造の概略斜視図。
【符号の説明】
【００３７】
１０・・・ドラム、１１・・・ドラム胴本体、１２・・・ラグベース、１３・・・ラグ、１４・・・締めボルト、２２・・・テーパ面部（第１の嵌合部）、２５・・・平面部（ラグ移動抑制手段）、２８・・・軸状部（ラグ移動抑制手段）、３５・・・テーパ面部（ラグ移動抑制手段）
【図１】
0005282402.tif 000002
【図２】
0005282402.tif 000003
【図３】
0005282402.tif 000004
【図４】
0005282402.tif 000005
【図５】
0005282402.tif 000006
【図６】
0005282402.tif 000007
【図７】
0005282402.tif 000008
【図８】
0005282402.tif 000009